(57)【要約】【課題】  遺族に知られることなく、燃焼時に支障となるものを取り除き、動物死骸を燃焼させられる動物火葬用設備を提供すること。【解決手段】  動物死骸Ｄを燃焼する燃焼室２と、動物死骸Ｄを載置した台車７を燃焼室に搬入および搬出可能な第１開口部３と、第１開口部３を開放および閉止する第１蓋部５と、第１開口部３の外方から燃焼室２に連続し台車７を燃焼室２に搬入するためのレール２３とを備え、燃焼室２には、第１開口部３を閉止した状態で、台車７を搬入および搬出可能な第２開口部４と、この第２開口部４を開放および閉止する第２蓋部６とが設けられた動物火葬用設備１によって達成される。【選択図】        図２
2008138934.tif 000002
【特許請求の範囲】
【請求項１】
動物死骸を燃焼する燃焼室と、この燃焼室内に前記動物死骸を載置した台車を搬入および搬出可能な前面側に設けられた第１開口部と、この第１開口部を開放および閉止する第１蓋部と、前記第１開口部の外方から前記燃焼室内に連続し前記台車を前記燃焼室内に搬入するためのレールとを備えた動物火葬用設備であって、
前記燃焼室には、前記第１開口部を第１蓋部で閉止した状態で、前記台車を搬入および搬出可能な第２開口部と、この第２開口部を開放および閉止する第２蓋部とが設けられていると共に、前記レールは前記燃焼室から前記第２開口部の外方に連続して設けられていることを特徴とする動物火葬用設備。
【請求項２】
前記第１蓋部は、上下方向に移動することで前記第１開口部を開放または閉止することを特徴とする請求項１に記載の動物火葬用設備。
【発明の詳細な説明】
【技術分野】
【０００１】
本発明は動物火葬用設備に関し、特に犬や猫等の愛玩動物を火葬する設備の構造改良に関する。
【背景技術】
【０００２】
近年の日本においては、犬や猫などの愛玩動物を飼う者が多くなっている。これに伴い、愛玩動物を弔う際には、人間と同程度の愛情を持って接するという事態が発生している。このため、そのような愛玩動物のために火葬を行い、葬式を行うということがある。動物火葬用設備として、従来からいくつかのものが開発されている（特許文献１〜３）。
愛玩動物の火葬に際しては、人の火葬と同じように、遺族から愛玩動物の死骸と共に、花束・生花・玩具など（以下、花束等という）を台車に載置し、一緒に燃やすように望まれることがある。しかしながら、花束等を完全に燃焼させるためには、動物死骸のみを燃焼させる場合に比べると、余分な火力を必要とし、燃料を多く消費させねばならないことに加え、火葬設備の劣化が進みやすくなるという問題がある。このため、できれば燃焼に支障となる花束等を取り除いて動物死骸等を火葬することが望ましい。
【０００３】
【特許文献１】特開平１１−３０４１１７号公報
【特許文献２】特開２００４−１０１１５６号公報
【特許文献３】特開２００６−２９２３２１号公報
【発明の開示】
【発明が解決しようとする課題】
【０００４】
しかし、動物死骸と共に載置したものを遺族の前で取り除くことには、抵抗感が強く、これまで実施されることは少なかった。
本発明は、上記問題に鑑みてなされたものであり、その目的は、遺族に知られることなく、燃焼時に支障となるものを取り除き、動物死骸を燃焼させることができる動物火葬用設備を提供することにある。
【課題を解決するための手段】
【０００５】
上記目的を達成するために、第１の発明に係る動物火葬用設備は、動物死骸を燃焼する燃焼室と、この燃焼室内に前記動物死骸を載置した台車を搬入および搬出可能な前面側に設けられた第１開口部と、この第１開口部を開放および閉止する第１蓋部と、前記第１開口部の外方から前記燃焼室内に連続し前記台車を前記燃焼室内に搬入するためのレールとを備えた動物火葬用設備であって、前記燃焼室には、前記第１開口部を第１蓋部で閉止した状態で、前記台車を搬入および搬出可能な第２開口部と、この第２開口部を開放および閉止する第２蓋部とが設けられていると共に、前記レールは前記燃焼室から前記第２開口部の外方に連続して設けられていることを特徴とする。
上記発明においては、前記第１蓋部は、上下方向に移動することで前記第１開口部を開放または閉止することが好ましい。
【０００６】
第２開口部は、火葬用設備の後面側または側面側のいずれに設けても良い。但し、レールを直線状に配置できること、および台車の進行方向が簡易とできることから、後面側に設けることが好ましい。
「第１開口部を第１蓋部で閉止した状態で」とは、必ずしも完全に閉止することのみでなく、実質的に第１開口部が閉止されているという状態を含む。なお、本発明においては、動物火葬用設備において、第１蓋部の前方位置に、隔壁を設けることができる。例えば、複数の動物火葬用設備を並列に設置し、各設備の前方に、観音開きの隔壁を設けることにより、より人間の葬儀に近い態様とできる。そのように、隔壁を設ける場合には、隔壁を閉止することにより、遺族からは内部の状態は視認できないので、第１開口部を開放した状態で、第２開口部を開放することもできる。
【０００７】
また、上記隔壁を設ける場合には、第１蓋部を上下方向に移動するように構成することにより、例えば第１蓋部を観音開きの構成にする場合に比べると、第１蓋部と隔壁との空間を狭く設定することができる。このため、第１蓋部を閉止するときに、遺族と動物死骸との距離が短くなり、遺族の感情に沿うものとなる。加えて、第１蓋部が左右方向に開放する場合に比べると、設備の左右空間を有効に使用できる。このため、複数の動物火葬用設備を並列させる場合には、空間を有効に利用できる。
【発明の効果】
【０００８】
本発明によれば、台車をレール上に設置しておき、その上面に動物死骸および花束等を載置する。次に、台車を動かし、第１開口部から燃焼室内に搬入し、第１蓋部を閉止する。次いで、第２蓋部を開放し、第２開口部から台車を燃焼室の外方に搬出し、燃焼に支障となる花束等を台車から取り除く。このとき、燃焼する際に支障のないものは、そのまま台車上に残しておいてもよい。
次に、再度第２開口部から台車を燃焼室内に搬入し、第２蓋部で第２開口部を閉止する。こうし、燃焼室内で動物死骸を燃焼させる。
このように本発明によれば、遺族に知られることなく、燃焼時に支障となるものを取り除いて、動物死骸を燃焼させることが可能な動物火葬用設備を提供できる。
【発明を実施するための最良の形態】
【０００９】
次に、図面を参照しつつ本発明の実施形態について詳細に説明するが、本発明の技術的範囲はこの実施形態によって限定されることはない。また、本発明の技術的範囲は、均等の範囲まで及ぶものである。
図１には、本実施形態の動物火葬用設備１（以下、単に「設備１」という）の正面図を示した。この設備１には、動物死骸Ｄ（図７等を参照）を燃焼するための燃焼室２が設けられている。燃焼室２は、設備１の前後方向に開放されており、ほぼ同形状に形成されている。これらの開口部は、設備１の前面側が第１開口部３とされ、後面側が第２開口部４とされている。第１開口部３には、ここを開放および閉止する第１蓋部５が設けられており、第２開口部４には、ここを開放または閉止する第２蓋部６が設けられている。
【００１０】
このうち、第１蓋部５は、燃焼室２の略上方半分を覆うように形成されている。燃焼時には、燃焼室２の下方部分は、後述の台車７と第１蓋部５の下端縁とで区画されるようになっている。これにより、台車７の下方に設けられた車輪部８が高熱から区画される。また、設備１の前面には、第１蓋部５の左右両側に一対の第１支持部材９が設けられている。この第１支持部材９の内面側（第１蓋部５に対向する面側）には、上下方向に沿って溝（図示せず）が設けられている。一方、第１蓋部５の左右からは、一対のスライド突部１０が突設されており、このスライド突部１０が溝に嵌り込むことで、第１蓋部５が第１支持部材９の延設方向に沿って上下方向に移動可能とされている。
【００１１】
第１支持部材９は上端から下端付近まで、ほぼ鉛直方向に立設されており、下端位置では、第１開口部３に向かうように傾斜されている。この傾斜により、第１蓋部５が第１開口部３を適度に閉止する。両第１支持部材９の上端部分は、連結部材１１によって架設されている。連結部材１１の中央には、ジャッキ１２が取り付けられており、このジャッキ１２からはチェーン１３が垂下されている。チェーン１３の下端部分は、第１蓋部５の上端に突設された連結部１４に連結されている。ジャッキ１２を介してチェーン１３を所定の方向に引っ張ることで、第１蓋部５を上方または下方に移動させることができる。
【００１２】
第２蓋部６は、図４に示すように、第１蓋部５よりも上下方向に大きく形成されており、燃焼室２の後面側全体を覆うようになっている。設備１の後面には、第２蓋部６を上下方向に移動させるために、前面において第１蓋部５を上下方向に移動させるものと同様の構成が設けられている。すなわち、第２蓋部６の左右には、一対の第２支持部材１５が設けられており、両第２支持部材１５の上端部は連結部材１６によって架設されている。第２支持部材１５の立設高さは、第２蓋部６の高さに合わせて形成されており、第１支持部材９よりも高くされている。第２支持部材１５は上端から下端付近まで垂直状に立設されており、その下端部は傾斜を備えて第２開口部４に向かっている。また、第２蓋部６の左右には一対のスライド突部２０が突設されており、この突部２０が第２支持部材１５に凹設された溝部（図示せず）に嵌り込んでいる。
【００１３】
連結部材１６の中央には、ジャッキ１７とチェーン１８とが設けられており、チェーン１８の下端部は第２蓋部６の上端に設けられた連結部１９に連結されている。チェーン１８の引張り操作により、第２蓋部６を上方または下方に移動させることができる。第２蓋部６の中央やや上方よりの位置には、メインバーナー２１が設けられている。このメインバーナー２１には、可撓性のパイプ２２が接続されており、このパイプ２２を介して燃料が供給される。
【００１４】
燃焼室２の下面には、設備１の前方から後方に連続する一対のレール２３が敷設されている。このレール２３は、台車７を燃焼室２の内外に搬入および搬出するためのものである。レール２３は、図２に示すように、燃焼室２の前方から後方に向かってほぼ直線状に配置されている。詳細には示さないが、設備１の前面側には、隔壁２４が設けられている（図８等を参照）。この隔壁２４は、観音開き様の化粧扉として構成されている。これは台車７上に載置された愛玩動物の死骸Ｄとのお別れを演出すると共に、その葬儀を人間のものに近づけるための構成である。また、隔壁２４の設置によって、設備１の後面側から花束等Ｅを取り出すときに、遺族に気付かれ難くなる。レール２３は、この隔壁２４の外方にまで延出されている。一方、レール２３の後方は、台車７を設備１の外方に取り出すことができる程度に延出されている。
【００１５】
設備１には上記構成の他に、燃焼室２の上方に設けられた二次燃焼室２５、二次燃焼バーナー２６、および送風機２７が設けられている。このように二次燃焼室２５を設けることにより、動物死骸Ｄの不完全燃焼を防止することができる。また、設備１の側方（図１において右側）には、燃焼室２の温度を測定する熱電対２９、各燃焼室２，２５の内部を視認するための覗き窓３０，３１、設備１の燃焼を制御するための制御盤３２が設けられている。また、二次燃焼室２５から排出される排気ガスを処理するサイクロン２８が設備１の側方（図１において左側）に設けられている。
【００１６】
台車７は、ステンレスにより略長方形状に形成された載置部３３が設けられている。載置部３３の下面側からは、左右及び前後に合計四脚の脚部３４が垂下されており、各脚部３４の下端にはレール２３上を進むための車輪部８が設けられている。また、載置部３３の側方周縁には、張出し縁部３５が張り出されている。この張出し縁部３５は、台車７を燃焼室２に収容したときに、燃焼室２の側壁に凹設された溝部３６に嵌り込むことで燃焼室２を区画し、台車７の脚部３４、及び車輪部８を燃焼室２の外方に位置させて、車輪部８を高熱から隔離している。
【００１７】
次に、上記のように構成された本実施形態の作用及び効果について、図７〜図１１を参照しつつ説明する。
まず、第１蓋部５を上方に移動させておき、燃焼室２の前面側の第１開口部３を開放させた状態としておく。なお、このときには、遺族が燃焼室２の後面側に開口が設けられていることを気付かせないように、第２蓋部６を下方に移動させて第２開口部４を閉止しておくことが好ましい。
次に、図７に示すように、設備１の前面側に敷設された左右一対のレール２３上に配置された台車７の載置部３３の上面に動物死骸Ｄを載せる。このとき、遺族の希望により、動物死骸Ｄの周囲に花束・生花・玩具などの載置物Ｅを飾り付ける。このとき、良好な焼却を促すために、動物死骸Ｄをメインバーナー２１に近くなるように台車７の奥側（図７において左側）に載せることが好ましい。
【００１８】
次に、台車７をレール２３に沿って移動させ、第１開口部３から燃焼室２内部に搬入する。次いで、図８および図９に示すように、第１蓋部５を下方に移動させて、第１開口部３を閉止する。更に、設備１の前面側に設けた隔壁２４を閉止することにより、遺族は愛玩動物に対して、最後のお別れを行う。本実施形態では、第１蓋部５が上下方向に移動するようになっているので、観音開き方式とした場合に比べると、隔壁２４と設備１との間の距離を短く設定できる。このため、遺族と動物死骸Ｄとの間の距離を短くできると共に、前後方向の空間を有効に利用できる。
ここで、遺族は動物死骸Ｄの火葬が終わるまで、別の場所に移動する。
【００１９】
次に、図１０に示すように、第２蓋部６を上方に移動させて第２開口部４を開放し、台車７をレール２３に沿って設備１の第２開口部４から後方側に搬出する。ここで、動物死骸Ｄの焼却に支障となる載置物Ｅを取り除き、再度台車７を第２開口部４から燃焼室２の内部に搬入した後、第２蓋部６を下方に移動させることで第２開口部４を閉止する（図１１）。
この状態で、送風機２７を駆動させつつ、メインバーナー２１と二次燃焼バーナー２６とに点火し、動物死骸Ｄの焼却操作を開始する。焼却作業中には、制御盤３２による制御によって、動物死骸Ｄが焼却される。
焼却操作が完了したら、一定の冷却時間を経過後、隔壁２４および第１蓋部５を開放し、台車７を燃焼室２から外方に搬出する。
【００２０】
このように本実施形態によれば、動物死骸Ｄを焼却する前に、無駄に遺族の感情を害することなく、焼却に支障となる載置物Ｅを台車７から取り除くことができるので、円滑な動物死骸Ｄの焼却操作を行える。
また、両蓋部５，６は、上下方向に移動することで、開口部３，４を閉止する構成とされている。このため、設備１の側方空間を有効に利用できるので、複数の設備１を並列して設置するときに、動物火葬用の施設を有効に設計することができる。すなわち、同じ台数の設備１を設置するには、施設の左右幅長を短くできる。また、施設の左右幅長が同じ場合には、より多数の設備１を設置することができる。
なお、本実施形態においては、サイクロン２８は設備１の側方に立設されているが、本発明によれば、排気ガスを処理する煙突は燃焼室の上方に設けることもできる。
【図面の簡単な説明】
【００２１】
【図１】本実施形態における動物火葬用設備の正面図である。
【図２】動物火葬用設備の側面図である。
【図３】動物火葬用設備の平面図である。
【図４】動物火葬用設備の後面図である。
【図５】第１蓋部を上方に移動させて第１開口部を開放したときの正面図である。
【図６】第２蓋部を上方に移動させて第２開口部を開放したときの後面図である。
【図７】台車に動物死骸と載置物を載せたときの様子を示す側面図である。
【図８】台車を動物火葬用設備の燃焼室に搬入して第１開口部を閉止し、隔壁を閉止したときの側面図である。
【図９】図８のときの動物火葬用設備の正面図である。
【図１０】第１開口部を閉止した状態で、第２蓋部を上方に移動させて第２開口部を開放し、台車を動物火葬用設備の後面側に搬出したときの側面図である。
【図１１】載置物を取り除いた後、台車を再び燃焼室に戻し、第２蓋部で第２開口部を閉止したときの側面図である。
【符号の説明】
【００２２】
１…動物火葬用設備
２…燃焼室
３…第１開口部
４…第２開口部
５…第１蓋部
６…第２蓋部
７…台車
２３…レール
２４…隔壁
Ｄ…動物死骸
Ｅ…載置物
【図１】
2008138934.tif 000003
【図２】
2008138934.tif 000004
【図３】
2008138934.tif 000005
【図４】
2008138934.tif 000006
【図５】
2008138934.tif 000007
【図６】
2008138934.tif 000008
【図７】
2008138934.tif 000009
【図８】
2008138934.tif 000010
【図９】
2008138934.tif 000011
【図１０】
2008138934.tif 000012
【図１１】
2008138934.tif 000013